(57)【特許請求の範囲】
【請求項１】
第一の光源と、
前記第一の光源と異なる第二の光源と、
前記第一の光源からの光を外部へ出射する第一開口部と、該第一開口部に隣接し、前記第二の光源からの光を外部へ出射する第二開口部と、を有するカバー部と、
前記第一の光源と前記第二の光源との間に設けられ、前記第一の光源から前記第二開口部へ向かう光を遮蔽する第一遮蔽部と、
前記第一の光源と前記第二の光源との並び方向において前記第一遮蔽部と並んで設けられ、前記第二の光源から前記第一開口部へ向かう光を遮蔽する第二遮蔽部と、
前記第一開口部から前記カバー部の外部へ光を出射する第一出射面と、前記第二開口部から前記カバー部の外部へ光を出射する第二出射面と、前記第一の光源からの光を前記第一出射面へ導く第一導光部と、前記第二の光源からの光を前記第二出射面へ導く第二導光部と、前記第一遮蔽部が挿入される第一凹部と、前記第二遮蔽部が挿入される第二凹部と、前記第一凹部と前記第二凹部との間に設けられ、前記第一凹部と前記第二凹部とを連結する連結部と、が一体的に構成された導光部材と、
を有することを特徴とする表示装置。
【請求項２】
前記第一遮蔽部は、前記カバー部から突出する第一リブであり、
前記第二遮蔽部は、前記カバー部から突出する第二リブであることを特徴とする請求項１に記載の表示装置。
【請求項３】
前記第一の光源と前記第二の光源との並び方向と前記第一の光源の出射方向とに直交する方向における前記第一遮蔽部の長さは、前記直交する方向における前記第一凹部の長さよりも長いことを特徴とする請求項１または請求項２に記載の表示装置。
【請求項４】
前記第一の光源と前記第二の光源との並び方向と前記第二の光源の出射方向とに直交する方向における前記第二遮蔽部の長さは、前記直交する方向における前記第二凹部の長さよりも長いことを特徴とする請求項１〜３のいずれか１項に記載の表示装置。
【請求項５】
前記カバー部は、前記第一出射面を前記第一開口部から露出させ、前記第二出射面を前記第二開口部から露出させ、
前記第一遮蔽部と前記第二遮蔽部とは、前記カバー部と一体的に設けられることを特徴とする請求項１〜４のいずれか１項に記載の表示装置。
【請求項６】
前記導光部材は、前記カバー部に固定されることを特徴とする請求項１〜５のいずれか１項に記載の表示装置。
【請求項７】
前記第一出射面または前記第二出射面に隣接する位置に設けられ、前記導光部材とは異なる他の導光部材を有する操作キーと、
前記導光部材と前記他の導光部材との間に設けられ、前記第一の光源または前記第二の光源から前記他の導光部材へ向かう光を遮蔽する第三遮蔽部と、
を備えることを特徴とする請求項１〜６のいずれか１項に記載の表示装置。
【請求項８】
請求項１〜７のいずれか１項に記載の表示装置と、
シートに画像を形成する画像形成手段と、
を有することを特徴する画像形成装置。
【請求項９】
前記第一出射面は、前記第一の光源からの光を出射し、前記画像形成装置の状態を表示することを特徴とする請求項８に記載の画像形成装置。
【発明の詳細な説明】
【技術分野】
【０００１】
本発明は、複写機、プリンタ、ファクシミリ装置等の画像形成装置に設けられる表示装置に関するものである。
【背景技術】
【０００２】
画像形成装置の操作部には、画像形成装置の状態を表示する表示装置が設けられている。複数の光源が表示装置に設けられた場合、隣設される光源から光漏れが生じてユーザが誤認識してしまう場合がある。隣設される光源からの光漏れを防ぐために特許文献１では、光源間に遮光性の突出部を設けている。これにより隣設される光源からの光漏れを防止することができる。
【先行技術文献】
【特許文献】
【０００３】
【特許文献１】特開２００８−２４２１７０号公報
【発明の概要】
【発明が解決しようとする課題】
【０００４】
特許文献１のように光源としてＬＥＤ（Light Emitting Diode；発光ダイオード）を用いた場合、ＬＥＤから発光される光は所定の照射角度で広がる特性を有する。このため光源となるＬＥＤと、開口表示部との間に導光部材を介在させてＬＥＤから発光される光を集光させて明度を向上させるのが一般である。
【０００５】
しかしながら、特許文献１の技術では、各光源となるＬＥＤに対応してレンズと導光部とがそれぞれ独立して設けられて遮光用突出部により完全に仕切られている。このため光源毎にレンズと導光部とを別部品化する必要があった。そのため光源の数だけ導光部材の部品が必要になり部品点数が増大し、組立性が悪化するという問題があった。
【０００６】
本発明は前記課題を解決するものであり、その目的とするところは、部品点数を削減し、隣設される光源からの光漏れを防止することができる表示装置を提供するものである。
【課題を解決するための手段】
【０００７】
前記目的を達成するための本発明に係る表示装置の代表的な構成は、第一の光源と、前記第一の光源と異なる第二の光源と、前記第一の光源からの光を外部へ出射する第一開口部と、該第一開口部に隣接し、前記第二の光源からの光を外部へ出射する第二開口部と、を有するカバー部と、前記第一の光源と前記第二の光源との間に設けられ、前記第一の光源から前記第二開口部へ向かう光を遮蔽する第一遮蔽部と、前記第一の光源と前記第二の光源との並び方向において前記第一遮蔽部と並んで設けられ、前記第二の光源から前記第一開口部へ向かう光を遮蔽する第二遮蔽部と、前記第一開口部から前記カバー部の外部へ光を出射する第一出射面と、前記第二開口部から前記カバー部の外部へ光を出射する第二出射面と、前記第一の光源からの光を前記第一出射面へ導く第一導光部と、前記第二の光源からの光を前記第二出射面へ導く第二導光部と、前記第一遮蔽部が挿入される第一凹部と、前記第二遮蔽部が挿入される第二凹部と、前記第一凹部と前記第二凹部との間に設けられ、前記第一凹部と前記第二凹部とを連結する連結部と、が一体的に構成された導光部材と、を有することを特徴とする。
【発明の効果】
【０００８】
上記構成によれば、第一の導光部と、第二の導光部と、が一体的に構成された導光部材を用いることで部品点数が削減できる。また、遮光部により隣設される光源からの光漏れを防止することができる。
【図面の簡単な説明】
【０００９】
【図１】本発明に係る表示装置を備えた画像形成装置の構成を示す斜視説明図である。
【図２】本発明に係る表示装置を備えた画像形成装置の構成を示す断面説明図である。
【図３】本発明に係る表示装置の構成を示す斜視図である。
【図４】図３の一部を拡大した平面図である。
【図５】本発明に係る表示装置の導光部材の構成を示す斜視説明図である。
【図６】導光部材の導光経路長を説明する断面説明図である。
【図７】（ａ）は本発明に係る表示装置の構成を示す斜視説明図である。（ｂ）は（ａ）の部分拡大図である。
【発明を実施するための形態】
【００１０】
図により本発明に係る表示装置を備えた画像形成装置の一実施形態を具体的に説明する。
【００１１】
＜画像形成装置＞
先ず、図１及び図２を用いて本発明に係る表示装置20を備えた画像形成装置100の構成について説明する。図１に示すように、画像形成装置100の前面上部には、ユーザが操作する操作部21が設けられている。操作部21には、図３に示す表示装置20が設けられている。
【００１２】
図１及び図２に示すように、画像形成装置100の下部には、給送カセット111が設けられており、該給送カセット111は、図１の矢印Ｅ方向（図２の手前方向）に引き出し可能に設けられている。
【００１３】
給送カセット111内には、画像形成手段となる画像形成部140によりトナー画像が形成されるシートＳが収容されている。ユーザにより給送カセット111内にセットされるシートＳとしては、紙やＯＨＴ（OverHead Transparency）シート（ＯＨＰ（OverHead Projector）に使用される透明なシート）等が適宜使用される。
【００１４】
図２に示す画像形成部140には、イエローＹ、マゼンタＭ、シアンＣ及びブラックＢｋの各色の画像形成プロセス部ＰＹ，ＰＭ，ＰＣ，ＰＢｋが四セット備えられている。
【００１５】
一方、図示しない外部接続ケーブルから画像形成装置100に伝送されてきた画像情報が図示しないコントローラ（制御部）により処理される。更に、処理結果に基づいた信号によって、像露光手段となるレーザスキャナユニット142からレーザ光142ａが発せられ、図示しない帯電手段により一様に帯電された像担持体となる感光ドラム141の表面上に静電潜像が形成される。
【００１６】
感光ドラム141の表面上に形成された静電潜像は、現像手段となる現像装置143によりトナーが供給されて現像され、感光ドラム141の表面上にトナー像が形成される。
【００１７】
イエローＹ、マゼンタＭ、シアンＣ及びブラックＢｋの各色の感光ドラム141に対向して中間転写ベルト145が張架されている。中間転写ベルト145の内周面側で各色の感光ドラム141に対向して一次転写手段となる一次転写ローラ144が設けられている。
【００１８】
一次転写手段となる一次転写ローラ144により所定の加圧力及び静電的負荷バイアスが与えられると、各色の感光ドラム141の表面上に形成されたトナー像は、中間転写ベルト145の外周面上に一次転写される。
【００１９】
中間転写ベルト145は、図２の矢印Ａ方向へと搬送駆動される。これによりイエローＹ、マゼンタＭ、シアンＣ及びブラックＢｋの各色の画像形成プロセス部ＰＹ，ＰＭ，ＰＣ，ＰＢｋにより並列処理される。各色の画像形成プロセスは、中間転写ベルト145の外周面上に一次転写された上流のトナー像に重ね合わせるタイミングで行われる。その結果、最終的にはフルカラーのトナー像が中間転写ベルト145の外周面上に形成される。そして、二次転写ローラ130ａが対向する二次転写部130へと搬送される。
【００２０】
一方、給送カセット111に積載収納された紙やＯＨＴシート等のシートＳは、給送部110により一枚ずつ分離されて給送される。給送されたシートＳは第二搬送ローラ121に受け渡され、シート搬送方向下流側（以下、単に「下流側」という）に配置されたシート斜行補正装置120に向かって搬送される。シート斜行補正装置120によりシートＳの斜行が補正される。その後、更に、下流側に配置された第一搬送ローラ122に受け渡されたシートＳは、該第一搬送ローラ122によって二次転写部130へと搬送される。
【００２１】
上記シートＳの搬送プロセスと、画像形成プロセスとの協働により二次転写部130において中間転写ベルト145の外周面上に形成されたフルカラーのトナー像がシートＳ上に二次転写される。その後、シートＳは、定着手段となる定着装置150へと搬送される。
【００２２】
定着装置150は、対向するローラ、或いは、ベルト等により所定の加圧力と、ヒータ等の熱源による加熱効果を加えてシートＳ上にトナーを溶融固着させる。トナー像が定着されたシートＳは、排出部160を通過して、片面印刷の場合は、排出ローラ161により排出トレイ170上に排出される。
【００２３】
一方、シートＳの両面に印刷する場合には、切換フラッパ162の方向を切り替えることによりシートＳは反転パス180へと搬送される。反転パス180に設けられた反転ローラ180ａ〜180ｃによりシートＳが搬送されて表裏反転した状態で再度、シート斜行補正装置120に向かって搬送される。これによりシートＳの裏面側にも前述した片面印刷と同様に画像形成が行なわれる。
【００２４】
＜表示装置＞
次に図３〜図６を用いて操作部21に設けられた表示装置20の構成について説明する。図１に示す画像形成装置100には、ユーザが操作する操作部21が設けられている。図３に示すように、操作部21には、画像形成装置100に各種情報を入力するテンキー等を含む入力部23が設けられる。更に、画像形成装置100の入出力情報を可視化する液晶表示部24が設けられている。更に、画像形成装置100の状態を電灯表示する表示装置20が設けられている。
【００２５】
図３に示すように、表示装置20には、複数の開口表示部となる電灯表示部31〜33が設けられている。図５に示すように、各電灯表示部31〜33の真下近傍には、該電灯表示部31〜33に対応してそれぞれ設けられた複数の光源51〜53が設けられている。本実施形態の光源51〜53は、ＬＥＤ（Light Emitting Diode；発光ダイオード）により構成される。
【００２６】
図７（ａ）に示すように、各光源51〜53の相互間には、該光源51〜53の相互間を遮光する遮光部となる一対の第一リブ61が配置されている。
【００２７】
電灯表示部31〜33の天面からなる発光面31ａ〜33ａは、該電灯表示部31〜33に設けられる発光部として構成される。図５に示すように、複数の光源51〜53からの光を複数の電灯表示部31〜33にそれぞれ設けられる発光部となる発光面31ａ〜33ａにそれぞれ導く導光性材料からなる導光部材30が一体的に構成されている。
【００２８】
本実施形態の導光部材30は、図５及び図６に示すように、各光源51〜53から発光した光を、該光源51〜53にそれぞれ対応して設けられた各開口表示部となる電灯表示部31〜33に導くための各導光部１〜３を有する。更に、導光部材30は、各導光部１〜３を接続する接続部となる凹部34と凸部35とが交互に連続した断面クランク状に連続された光減衰部36を有する。光減衰部36は、図７（ａ）に示す遮光部となる第一リブ61を迂回するように、図５及び図６に示す各導光部１〜３の相互間に設けられる。導光部材30は、各導光部１〜３と、接続部となる光減衰部36とが一体的に構成されている。
【００２９】
図５に示す導光部材30のうち、各導光部１〜３と、該導光部１〜３の相互間に設けられた接続部となる凹部34と凸部35とが交互に連続した断面クランク状の光減衰部36が各光源51〜53からの光を導く導光領域として構成される。
【００３０】
図７（ａ）に示すように、光源51〜53（第一、第二の光源）の相互間を遮光する遮光部となる第一リブ61（第一、第二の遮光部）が配置されている。導光部材30の光減衰部36の各凹部34（第一、第二のの凹部）内には、それぞれ第一リブ61（第一、第二の遮光部）が挿入される。
【００３１】
本実施形態では、各光源51〜53からの光が、該光源51〜53にそれぞれ対応する第一の開口表示部とは異なる第二の開口表示部へと導かれることを防止する。このために図６に示すように、各光源51〜53から該第二の開口表示部に設けられる発光部となる各発光面31ａ〜33ａに至る導光部材30の導光経路長Ｌ１，Ｌ２は以下の通りである。各光源51〜53から該第二の開口表示部に設けられる発光部となる各発光面31ａ〜33ａまでの図６の直線で示す最短距離Ｌｓ１，Ｌｓ２に比べてそれぞれ長くなるように設定されている。
【００３２】
図６に示す導光部材30の導光経路長Ｌ１，Ｌ２が、各光源51〜53から発光された光が各発光面31ａ〜33ａに直接届く図６の直線で示す最短距離Ｌｓ１，Ｌｓ２よりも大きい。その場合には、凹部34と凸部35とが交互に連続した断面クランク状の光減衰部36において光が減衰する。
【００３３】
例えば、図６に示す光源51に対応する第一の開口表示部となる電灯表示部31とは異なる第二の開口表示部は、電灯表示部32，33である。そのうち、光源51に最も近設された電灯表示部32について考慮する。光源51から該第二の開口表示部となる電灯表示部32に設けられる発光部となる発光面32ａに至る導光部材30の導光経路長Ｌ１は以下の通りである。各光源51から該第二の開口表示部となる電灯表示部32に設けられる発光部となる発光面32ａまでの図６の直線で示す最短距離Ｌｓ１に比べて長くなるように設定されている。
【００３４】
同様に、図６に示す光源52に対応する第一の開口表示部となる電灯表示部32とは異なる第二の開口表示部は、電灯表示部31，33である。そのうち、光源52に近設された電灯表示部33について考慮する。光源52から該第二の開口表示部となる電灯表示部33に設けられる発光部となる発光面33ａに至る導光部材30の導光経路長Ｌ２は以下の通りである。各光源52から該第二の開口表示部となる電灯表示部33に設けられる発光部となる発光面33ａまでの図６の直線で示す最短距離Ｌｓ２に比べて長くなるように設定されている。
【００３５】
尚、図示しないが、図６に示す光源51から第二の開口表示部となる電灯表示部33の発光面33ａまでの導光経路長Ｌと、最短距離Ｌｓとの大小関係も同様である。また、光源52から第二の開口表示部となる電灯表示部31の発光面31ａまでの導光経路長Ｌと、最短距離Ｌｓとの大小関係も同様である。また、光源53から第二の開口表示部となる電灯表示部31，32のそれぞれの発光面31ａ，32ａまでの導光経路長Ｌと、最短距離Ｌｓとの大小関係も同様に設定される。
【００３６】
各光源51〜53から前記第二の開口表示部に設けられる発光部となる各発光面31ａ〜33ａに至る導光部材30は、図５及び図６に示すように、凹部34と凸部35とが交互に連続した断面クランク形状の光減衰部36を有する。
【００３７】
尚、本実施形態の光減衰部36は、断面クランク形状で構成された一例である。他に断面波形状等の各種形状の光減衰部36を用いて図６に示す各光源から第二の開口表示部の発光部となる発光面までの導光経路長Ｌが、最短距離Ｌｓよりも長くなるように構成することでも良い。
【００３８】
また、図３及び図４に示すように、入力部23に設けられる各種キーには、導光性材料からなる他の導光部材41が設けられている。入力部23、液晶表示部24、導光部材30，41は、カバー25に固定されている。本実施形態では、図３及び図４に示す電灯表示部31は、画像形成装置100の実行状態を表示し、電灯表示部32は、画像形成装置100の異常状態を表示し、電灯表示部33は、画像形成装置100が起動しているか否かを表示する。
【００３９】
図３及び図４に示す導光部材41の電灯表示部41ａは、画像形成装置100が画像形成可能な状態か否かを表示する。図５に示すように、導光部材30は、電灯表示部31〜33を一直線上に配列して一体的に構成されている。複数の電灯表示部31〜33に対して、該電灯表示部31〜33を一体化した導光部材30を設けることにより、部品点数を減らして組立性を向上することができる。
【００４０】
＜比較例＞
ここで、図５に示す凹部34と凸部35とが交互に連続した断面クランク形状の光減衰部36の代わりに略直線状の導光部材で各電灯表示部31〜33が接続された比較例を考慮する。画像形成装置100が稼働中は、図３及び図４に示す電灯表示部31が点滅する。図５に示す本実施形態の導光部材30では、電灯表示部31〜33を一体化して構成される。
【００４１】
比較例として、図５に示す凹部34と凸部35とが交互に連続した断面クランク形状の光減衰部36の代わりに略直線状の導光部材で各電灯表示部31〜33が接続された構成とする。このような構成では、該導光部材を介して、例えば、電灯表示部31から電灯表示部32に光漏れが発生する恐れがある。
【００４２】
図３及び図４に示す電灯表示部31から電灯表示部32に光漏れが発生する。すると、画像形成装置100から異常状態を出力していなくても画像形成装置100の異常状態を表示する電灯表示部32が電灯表示部31からの光漏れにより点滅しているようにユーザが誤認識する。これにより画像形成装置100が正常に稼働中であるにもかかわらず、画像形成装置100が異常状態を示しているとユーザが誤認識してしまう。
【００４３】
＜光漏れ防止＞
次に図５〜図７を用いて本実施形態の表示装置20における光漏れ防止の原理について説明する。図５に示すように、本実施形態の導光部材30には、各電灯表示部31〜33の真下近傍にそれぞれ光源51〜53が設けられている。各光源51〜53は、それぞれ独立して点灯し、図３及び図４に示す各電灯表示部31〜33の発光部となる各発光面31ａ〜33ａからの発光により画像形成装置100の状態を出力表示する。導光部材30には、図５に示すように、各電灯表示部31〜33の相互間に凹部34と凸部35とが交互に連続した断面クランク形状の光減衰部36がそれぞれ設けられている。
【００４４】
図６に示すように、光源51から該光源51の真上に配置された第一の開口表示部となる電灯表示部31に対して、図６の右側に隣設される第二の開口表示部となる電灯表示部32の天面からなる発光面32ａに至る導光経路長Ｌ１は以下の通りである。導光部材30の電灯表示部31と電灯表示部32との間に設けられた凹部34と凸部35とが交互に連続した断面クランク形状の光減衰部36の導光経路を含むため長くなる。
【００４５】
従って、図６に示す導光経路長Ｌ１は、該光源51から電灯表示部32の発光面32ａに至る直線で示す最短距離Ｌｓ１よりも長い。
【００４６】
同様に、光源52から該光源52の真上に配置された第一の開口表示部となる電灯表示部32に対して、図６の右側に隣設される第二の開口表示部となる電灯表示部33の天面からなる発光面33ａに至る導光経路長Ｌ２は以下の通りである。導光部材30の電灯表示部32と電灯表示部33との間に設けられた凹部34と凸部35とが交互に連続した断面クランク形状の光減衰部36の導光経路を含むため長くなる。
【００４７】
従って、図６に示す導光経路長Ｌ２は、該光源52から電灯表示部33の発光面33ａに至る直線で示す最短距離Ｌｓ２よりも長い。尚、本実施形態では、図６に示す導光経路長Ｌ１と導光経路長Ｌ２とは等しく、最短距離Ｌｓ１と最短距離Ｌｓ２とは等しくなるように設定されている。
【００４８】
図６に示すように、光源51の真上に第一の開口表示部となる電灯表示部31が配置される。電灯表示部31に対して、図６の右側に隣設される第二の開口表示部となる電灯表示部32の発光面32ａに至る光源51からの導光経路長Ｌ１は以下の通りである。導光部材30の電灯表示部31と電灯表示部32との間に設けられた凹部34と凸部35とが交互に連続した断面クランク形状の光減衰部36の導光経路を含むため長くなる。
【００４９】
従って、図６に示す導光経路長Ｌ１は、前述した比較例のように光減衰部36が無く、該光減衰部36の代わりに略直線状の導光部材で接続される場合を想定した直線で示す最短距離Ｌｓ１よりも長く設定される。
【００５０】
同様に図６に示すように、光源52の真上に第一の開口表示部となる電灯表示部32が配置される。電灯表示部32に対して、図６の右側に隣設される第二の開口表示部となる電灯表示部33の発光面33ａに至る各光源52からの導光経路長Ｌ２は以下の通りである。導光部材30の電灯表示部32と電灯表示部33との間に設けられた凹部34と凸部35とが交互に連続した断面クランク形状の光減衰部36の導光経路を含むため長くなる。
【００５１】
従って、図６に示す導光経路長Ｌ２は、前述した比較例のように光減衰部36が無く、該光減衰部36の代わりに略直線状の導光部材で接続される場合を想定した直線で示す最短距離Ｌｓ２よりも長く設定される。
【００５２】
これにより各光源51〜53から発光される光が、光減衰部36の導光経路を含む導光部材30を伝わる。これにより光源51の真上に配置される第一の開口表示部となる電灯表示部31にそれぞれ隣設される第二の開口表示部となる各電灯表示部32，33に伝わる。更に、光源52の真上に配置される第一の開口表示部となる電灯表示部32にそれぞれ隣設される第二の開口表示部となる各電灯表示部31，33に伝わる。更に、光源53の真上に配置される第一の開口表示部となる電灯表示部33にそれぞれ隣設される第二の開口表示部となる各電灯表示部31，32に伝わる。
【００５３】
その間に該光減衰部36を通過する光が減衰し、各光源51〜53から発光される光が該光源51〜53の真上に配置される各電灯表示部31〜33にそれぞれ隣設される各電灯表示部31〜33に導光されることを防止することで光漏れ防止が出来る。
【００５４】
本実施形態では、各電灯表示部31〜33の導光部材30を分割することなく一体的に構成した。これにより表示装置20の部品点数が少なく組立性が向上する。更に、導光部材30の各電灯表示部31〜33の相互間に導光経路長Ｌ１，Ｌ２が長い光減衰部36を設けた。これにより複数の光源51〜53と、各電灯表示部31〜33との間における光漏れを防止することができる。
【００５５】
これにより表示装置20の組立性を損ねることがない。また、光源51に対応する第一の開口表示部となる電灯表示部31にそれぞれ隣設される第二の開口表示部となる各電灯表示部32，33の各光源52，53が点灯する。更に、光源52に対応する第一の開口表示部となる電灯表示部32にそれぞれ隣設される第二の開口表示部となる各電灯表示部31，33の各光源51，53が点灯する。更に、光源53に対応する第一の開口表示部となる電灯表示部33にそれぞれ隣設される第二の開口表示部となる各電灯表示部31，32の各光源51，52が点灯する。その場合も色混ざりを防止することができる。
【００５６】
更に、光源51が点灯しておらず、該光源51に隣設される光源52，53が点灯している場合においても隣設される光源52，53からの光漏れを防止することができる。更に、光源52が点灯しておらず、該光源52に隣設される光源51，53が点灯している場合においても隣設される光源51，53からの光漏れを防止することができる。更に、光源53が点灯しておらず、該光源53に隣設される光源51，52が点灯している場合においても隣設される光源51，52からの光漏れを防止することができる。
【００５７】
本実施形態によれば、複数の光源51〜53からの光をそれぞれ複数の開口表示部となる電灯表示部31〜33の発光面31ａ〜33ａに導く複数の導光部材が導光部材30として一体的に構成される。これにより導光部材の部品点数を削減し、組立性を向上することができる。
【００５８】
一方、一体的に構成した導光部材30を経由して光源からの光が、該光源に対応する第一の開口表示部とは異なる第二の開口表示部に至る場合も想定される。しかし、該光源に対応する第一の開口表示部とは異なる第二の開口表示部に至る導光部材30の導光経路長が、該光源から第二の開口表示部までの最短距離に比べて長い。導光経路長が長くなる分だけ光が減衰する。これにより隣設される光源からの光漏れを防止することができる。
【００５９】
つまり、光源51に隣設される光源52，53からの電灯表示部31への光漏れを防止することができる。更に、光源52に隣設される光源51，53からの電灯表示部32への光漏れを防止することができる。更に、光源53に隣設される光源51，52からの電灯表示部33への光漏れを防止することができる。
【００６０】
図６に示す導光部材30では、各電灯表示部31〜33の相互間に凹部34と凸部35とが交互に連続した断面クランク形状で導光経路長Ｌ１，Ｌ２が長い光減衰部36を設けた。このような構成であっても隣設される光源51〜53間の離間距離が短い場合や各光源51〜53の光量が大きい場合は、各光源51〜53から発光される光が図６に示す光減衰部36からなる導光経路以外から伝わる場合もあり得る。
【００６１】
光源51から発光される光が該光源51の真上に配置される第一の開口表示部となる電灯表示部31にそれぞれ隣設される第二の開口表示部となる各電灯表示部32，33に導光される場合がある。光源52から発光される光が該光源52の真上に配置される第一の開口表示部となる各電灯表示部32にそれぞれ隣設される第二の開口表示部となる各電灯表示部31，33に導光される場合がある。光源53から発光される光が該光源53の真上に配置される第一の開口表示部となる各電灯表示部33にそれぞれ隣設される第二の開口表示部となる各電灯表示部31，32に導光される場合がある。このため各電灯表示部31〜33に色混じりや色移りが生じる恐れもある。
【００６２】
そこで、本実施形態では、図７（ａ）に示すように、各光源51〜53から発光される光が、該光源51〜53に対応する第一の開口表示部とは異なる第二の開口表示部へと導かれることを防止する。このために隣設される各光源51〜53の相互間に遮光部となる一対の第一リブ61を設けたものである。本実施形態の遮光部となる第一リブ61は、導光部材30の光減衰部36を構成する凹部34内（凹部内）に挿入される。
【００６３】
図７（ａ）に示すように、第一リブ61の一端部は、遮光部となるカバー25の側壁面に接続されており、該第一リブ61の他端部は、遮光部となる第二リブ62に接続されている。これにより光源51，52の全周に亘って遮光部となるカバー25、第一リブ61及び第二リブ62が設けられている。
【００６４】
図７（ａ）に示すように、導光部材30が固定されるカバー25には、遮光性を有する第一リブ61と第二リブ62とが一体的に成形されている。第一リブ61と第二リブ62とは、該導光部材30の各電灯表示部31〜33の相互間に設けられた凹部34と凸部35とが交互に連続した断面クランク形状の光減衰部36の凹凸形状に対応するようにカバー25に一体的に成形されている。
【００６５】
図７（ｂ）は図７（ａ）に示すｂ部分の拡大図である。図７（ｂ）に示すように、第一リブ61は、光減衰部36の凹部34の深さＤに対応する高さＨを有し、且つ該凹部34の幅Ｗ１よりも大きな長さＷ２を有して構成され、該凹部34内に挿入されている。図７（ａ）に示すように、光源51と光源52との間には、遮光性を有する第一リブ61が二枚配置される。また、光源52と光源53との間にも遮光性を有する第一リブ61が二枚配置される。
【００６６】
これによりカバー25に設けられた第一リブ61により各光源51〜53から発光される光は以下の通りである。該光源51の真上（図７（ａ）では真下）に配置される第一の開口表示部となる電灯表示部31にそれぞれ隣設される第二の開口表示部となる各電灯表示部32，33に導光されることを防止することが出来る。
【００６７】
更に、該光源52の真上（図７（ａ）では真下）に配置される第一の開口表示部となる電灯表示部32にそれぞれ隣設される第二の開口表示部となる各電灯表示部31，33に導光されることを防止することが出来る。更に、該光源53の真上（図７（ａ）では真下）に配置される第一の開口表示部となる電灯表示部33にそれぞれ隣設される第二の開口表示部となる各電灯表示部31，32に導光されることを防止することが出来る。
【００６８】
更に、本実施形態では、図７（ａ）に示すように、カバー25に設けた第二リブ62及び遮光部となる第三リブ63により光源51〜53から発光される光が導光部材30に隣設された導光部材41に伝達されることを防止することが出来る。
【００６９】
本実施形態では、導光部材30の各電灯表示部31〜33の相互間に設けられた凹部34と凸部35とが交互に連続した断面クランク形状の光減衰部36の凹凸形状により遮光部となる第一リブ61を乗り越える構成とした。これにより複数の光源51〜53の導光部材30を一体化して構成することができ、これにより複数の光源51〜53の導光部材の部品点数を削減することが出来る。
【００７０】
同様に、図３に示す入力部23に設けられる互いに隣設される各種キーの周囲にも遮光部となる遮光性を有するリブが設けられており、これにより互いに隣設される各種キー相互間の光漏れが防止される。
【００７１】
本実施形態の導光部材30は、各光源51〜53から発光される光を、該光源51〜53にそれぞれ対応して図５及び図６の真上に設けられた各電灯表示部31〜33（第一の開口表示部）に導くための各導光部１〜３を有する。更に、各光源51〜53の相互間を遮光する第一リブ61（遮光部）を迂回するように各導光部１〜３の相互間に設けられ、該導光部１〜３の相互間を接続する凹部34と凸部35とが交互に連続した断面クランク形状の光減衰部36（接続部）を有する。
【００７２】
導光部材30は、各導光部１〜３と、光減衰部36（接続部）とが一体的に構成され。これにより部品点数が削減できる。また、第一リブ61（遮光部）により隣設される光源51〜53からの光漏れを防止することができる。
【符号の説明】
【００７３】
１〜３ …導光部
20    …表示装置
30    …導光部材
31〜33 …電灯表示部（開口表示部）
51〜53 …光源（第一、第二の光源）
61〜63    …第一〜第三リブ（第一、第二の遮光部）
【図１】
0006525578.tif 000002
【図２】
0006525578.tif 000003
【図３】
0006525578.tif 000004
【図４】
0006525578.tif 000005
【図５】
0006525578.tif 000006
【図６】
0006525578.tif 000007
【図７】
0006525578.tif 000008